(57)【要約】【課題】消去可能インクを使用して印刷された印刷情報の消去を防止することができる原稿読取装置を提供する。【解決手段】原稿の印刷情報を読み取る原稿読取部２と、原稿載置トレイ３１に載置された原稿を原稿読取部２に向けて１枚ずつ給送する原稿給送部３とを備え、原稿載置トレイ３１に複数の原稿が載置された状態で原稿読取指示を受け付けると、原稿給送部３によって１枚の原稿を給送して原稿読取部２によって読み取る原稿読取動作を連続して実行する原稿読取装置であって、原稿給送部３によって給送される原稿の原稿給送路の温度を監視温度Ｔとして検出する温度センサー２３と、監視温度Ｔが消去可能インクの消色温度未満に設定された中断温度閾値Ｔ１以上になると、監視温度Ｔが中断温度閾値Ｔ１以下に設定された再開温度閾値Ｔ３未満になるまで原稿読取動作を中断させる原稿読取制御部６１とを備えている。【選択図】図１
2018125657.tif 000002
【特許請求の範囲】
【請求項１】
原稿の印刷情報を読み取る原稿読取部と、原稿載置トレイに載置された原稿を前記原稿読取部に向けて１枚ずつ給送する原稿給送部とを備え、前記原稿載置トレイに複数の原稿が載置された状態で原稿読取指示を受け付けると、前記原稿給送部によって１枚の原稿を給送して前記原稿読取部によって読み取る原稿読取動作を連続して実行する原稿読取装置であって、
前記原稿給送部によって給送される原稿の原稿給送路の温度を監視温度として検出する温度センサーと、
前記監視温度が消去可能インクの消色温度未満に設定された中断温度閾値以上になると、前記監視温度が前記中断温度閾値以下に設定された再開温度閾値未満になるまで前記原稿読取動作を中断させる原稿読取制御部とを具備することを特徴とする原稿読取装置。
【請求項２】
前記原稿読取部は、スリット板を介して原稿の印刷情報を読み取り、
前記温度センサーは、前記原稿給送路として前記スリット板の温度を前記監視温度として検出することを特徴とする請求項１記載の原稿読取装置。
【請求項３】
前記監視温度が前記中断温度閾値以上になると、前記原稿読取動作の中断を通知すると共に、通常間隔での連続した前記原稿読取動作の実行を指示する実行キーが配置された中断案内画面を生成する案内画面生成部と、
前記中断案内画面が表示される表示部と、を具備し、
前記実行キーの操作を受け付けると、前記原稿読取制御部は、前記原稿載置トレイに載置された原稿がなくなるまで、前記監視温度を考慮することなく、前記通常間隔で連続して前記原稿読取動作を実行することを特徴とする請求項１又は２記載の原稿読取装置。
【請求項４】
前記原稿読取制御部は、前記監視温度が前記中断温度閾値よりも低い抑制温度閾値未満の場合、予め設定された通常間隔で前記原稿読取動作を連続して実行し、前記監視温度が前記抑制温度閾値以上で前記中断温度閾値未満の場合、前記通常間隔よりも長い抑温間隔で前記原稿読取動作を連続して実行することを特徴とする請求項１乃至３のいずれかに記載の原稿読取装置。
【請求項５】
前記抑制温度閾値以上で前記中断温度閾値未満の場合、前記抑温間隔での前記原稿読取動作の実行を通知すると共に、前記通常間隔での連続した前記原稿読取動作の実行を指示する実行キーが配置された抑制案内画面を生成する案内画面生成部と、
前記抑制案内画面が表示される表示部と、を具備し、
前記実行キーの操作を受け付けると、前記原稿読取制御部は、前記原稿載置トレイに載置された原稿がなくなるまで、前記監視温度を考慮することなく、前記通常間隔で連続して前記原稿読取動作を実行することを特徴とする請求項４記載の原稿読取装置。
【請求項６】
前記中断温度閾値に到達するまでの前記監視温度に基づいて、前記通常間隔で連続して前記原稿読取動作を実行して前記監視温度が上昇した場合に、前記監視温度が前記中断温度閾値に到達する枚数を読取可能枚数として算出する読取可能枚数算出部を具備し、
前記案内画面生成部は、前記読取可能枚数を通知する前記抑制案内画面を生成することを特徴とする請求項５記載の原稿読取装置。
【請求項７】
前記原稿給送路を冷却する冷却装置を具備することを特徴とする請求項１乃至６のいずれかに記載の原稿読取装置。
【請求項８】
前記冷却装置は、前記監視温度が前記中断温度閾値以下に設定された冷却温度閾値に達すると、動作を開始して前記原稿給送路を冷却することを特徴とする請求項７記載の画像読取装置。
【請求項９】
請求項１乃至８のいずれかに記載の画像読取装置と、
前記画像読取装置よって取得された画像データに基づく画像を形成する画像生成部と、を具備する画像形成装置。
【発明の詳細な説明】
【技術分野】
【０００１】
本発明は、原稿を１枚ずつ給送する原稿給送部と、原稿給送部によって給送される原稿を読み取る原稿読取部とを備えた原稿読取装置に関する。
【背景技術】
【０００２】
近年、所定温度以上（例えば、６０℃以上）で消色する消去可能インクを使用して記録紙に情報を印字する技術が提案されている（例えば、特許文献１、２参照）。消去可能インクを使用して印刷された印刷情報は、不要になると、記録紙に熱を与えて消去することができる。
【先行技術文献】
【特許文献】
【０００３】
【特許文献１】特開２０１５−５２６３９号公報
【特許文献２】特開２０１４−４４２７５号公報
【発明の概要】
【発明が解決しようとする課題】
【０００４】
しかしながら、従来技術では、消去可能インクを使用して印刷された印刷情報が、原稿給送部と原稿読取部とを用いた原稿の読み取りに際して、意図せず消去されてしまい、印刷情報を正確に読み取ることができないことがあるという問題点があった。原稿給送部と原稿読取部とを用いて大量の原稿を連続して読み取る場合、原稿給送部での原稿搬送や、原稿読取部での光の照射による熱が蓄積される。従って、原稿に印刷された印刷情報が消去可能インクを使用したものであった場合、蓄積された熱によって消去されてしまう虞がある。
【０００５】
本発明は、上記問題点を鑑みてなされたものであり、その目的とするところは、原稿給送部と原稿読取部とを用いた原稿の読み取りに際し、消去可能インクを使用して印刷された印刷情報の意図しない消去を防止することができる原稿読取装置を提供することを目的とする。
【課題を解決するための手段】
【０００６】
本発明の原稿読取装置は、原稿の印刷情報を読み取る原稿読取部と、原稿載置トレイに載置された原稿を前記原稿読取部に向けて１枚ずつ給送する原稿給送部とを備え、前記原稿載置トレイに複数の原稿が載置された状態で原稿読取指示を受け付けると、前記原稿給送部によって１枚の原稿を給送して前記原稿読取部によって読み取る原稿読取動作を連続して実行する原稿読取装置であって、前記原稿給送部によって給送される原稿の原稿給送路の温度を監視温度として検出する温度センサーと、前記監視温度が消去可能インクの消色温度未満に設定された中断温度閾値以上になると、前記監視温度が前記中断温度閾値以下に設定された再開温度閾値未満になるまで前記原稿読取動作を中断させる原稿読取制御部とを具備することを特徴とする。
さらに、本発明の原稿読取装置において、前記原稿読取部は、スリット板を介して原稿の印刷情報を読み取り、前記温度センサーは、前記原稿給送路として前記スリット板の温度を前記監視温度として検出しても良い。
さらに、本発明の原稿読取装置において、前記監視温度が前記中断温度閾値以上になると、前記原稿読取動作の中断を通知すると共に、通常間隔での連続した前記原稿読取動作の実行を指示する実行キーが配置された中断案内画面を生成する案内画面生成部と、前記中断案内画面が表示される表示部とを具備し、前記実行キーの操作を受け付けると、前記原稿読取制御部は、前記原稿載置トレイに載置された原稿がなくなるまで、前記監視温度を考慮することなく、前記通常間隔で連続して前記原稿読取動作を実行しても良い。
さらに、本発明の原稿読取装置において、前記原稿読取制御部は、前記監視温度が前記中断温度閾値よりも低い抑制温度閾値未満の場合、予め設定された通常間隔で前記原稿読取動作を連続して実行し、前記監視温度が前記抑制温度閾値以上で前記中断温度閾値未満の場合、前記通常間隔よりも長い抑温間隔で前記原稿読取動作を連続して実行しても良い。
さらに、本発明の原稿読取装置において、前記抑制温度閾値以上で前記中断温度閾値未満の場合、前記抑温間隔での前記原稿読取動作の実行を通知すると共に、前記通常間隔での連続した前記原稿読取動作の実行を指示する実行キーが配置された抑制案内画面を生成する案内画面生成部と、前記抑制案内画面が表示される表示部とを具備し、前記実行キーの操作を受け付けると、前記原稿読取制御部は、前記原稿載置トレイに載置された原稿がなくなるまで、前記監視温度を考慮することなく、前記通常間隔で連続して前記原稿読取動作を実行しても良い。
さらに、本発明の原稿読取装置において、前記中断温度閾値に到達するまでの前記監視温度に基づいて、前記通常間隔で連続して前記原稿読取動作を実行して前記監視温度が上昇した場合に、前記監視温度が前記中断温度閾値に到達する枚数を読取可能枚数として算出する読取可能枚数算出部を具備し、前記案内画面生成部は、前記読取可能枚数を通知する前記抑制案内画面を生成しても良い。
さらに、本発明の原稿読取装置において、前記原稿給送路を冷却する冷却装置を具備していても良い。
さらに、本発明の原稿読取装置において、前記冷却装置は、前記監視温度が前記中断温度閾値以下に設定された冷却温度閾値に達すると、動作を開始して前記原稿給送路を冷却しても良い。
また、本発明の画像形成装置は、上述の画像読取装置と、前記画像読取装置よって取得された画像データに基づく画像を形成する画像生成部とを備えている。
【発明の効果】
【０００７】
本発明によれば、中断温度閾値を消去可能インクの消色温度未満に設定することで、原稿給送部によって給送される原稿の原稿給送路が消色温度を超えて上昇されることがなく、消去可能インクを使用して印刷された印刷情報の意図しない消去を防止することができるという効果を奏する。
【図面の簡単な説明】
【０００８】
【図１】本発明に係る画像形成装置の実施の形態の概略構成を示すブロック図である。
【図２】図１に示す原稿給送部及び原稿読取部の内部構成を示す概略模式側断面図である。
【図３】図２に示す原稿載置トレイに載置された複数の原稿を連続して読み取る際の原稿読取動作を説明するフローチャートである。
【図４】図１に示す読取可能枚数算出部による読取可能枚数の算出例を説明する図である。
【図５】図１に示す案内画面生成部によって生成される案内画面例を示す図である。
【図６】本発明に係る画像形成装置の他の実施の形態の概略構成を示すブロック図である。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の画像形成装置１は、図１を参照すると、原稿読取部２と、原稿給送部３と、画像形成部４と、操作部５と、制御部６とを備え、制御部６によって各部が制御される。
【００１１】
原稿読取部２は、図２を参照すると、スキャナー２１と、スリット板２２と、温度センサー２３とを備えている。スキャナー２１は、ＬＥＤ（Light Emitting Diode）等を用いた光源２４と、ＣＣＤ（Charge Coupled Device）やＣＭＯＳ（Complementary Metal Oxide Semiconductor）等からなる主走査方向に配置されたラインセンサー２５とを備えている。スリット板２２は、原稿給送部３による原稿の給送方向と直交方向に形成されたガラス等の透明部材により構成され、原稿の印刷情報はスリット板２２を介して読み取られる。
【００１２】
温度センサー２３は、スリット板２２の温度を直接的もしくは間接的に検出する。スリット板２２には、原稿給送部３によって給送される原稿の印刷情報が当接する。従って、印刷に消去可能インクが使用されていた場合、スリット板２２が、消去可能インクが消色する所定温度（以下、消色温度と称す）以上になると、消去可能インクによる印刷が消去されてしまう虞がある。そこで、本実施の形態では、温度センサー２３によってスリット板２２の温度を監視温度Ｔとして検出し、監視温度Ｔが消色温度以上で原稿の読取動作が実行されることを防止している。
【００１３】
原稿給送部３は、図２を参照すると、ＡＤＦ（Auto Document Feeder）であり、原稿載置トレイ３１と、原稿排出トレイ３２と、原稿給送機構３３とを備えている。原稿載置トレイ３１には、載置された原稿の有無を検出する原稿検出センサーが設けられている。
【００１４】
原稿検出センサーによって原稿が検出された状態で読み取りが指示されると、原稿載置トレイ３１に載置された原稿は、原稿給送機構３３によって、１枚ずつ順に繰り出されてスリット板２２と対向する位置へ給送され、その後、原稿排出トレイ３２に排出される。
【００１５】
そして、原稿読取部２は、原稿の先端がスリット板２２に到達するタイミングで光源２４を点灯させてラインセンサー２５による原稿の読み取りを開始し、原稿の後端がスリット板２２を通過するタイミングで光源２４を消灯させてラインセンサー２５による原稿の読み取りを終了させる。
【００１６】
原稿給送機構３３は、ピックアップローラー、原稿給送ローラー、レジストローラー、原稿排出ローラー等の図示しない原稿給送モーターによって回転駆動されるローラーと、原稿押圧部３４とを備えている。原稿押圧部３４は、給送される原稿をスリット板２２に向けて押圧する。
【００１７】
スキャナー２１は、スリット板２２と対向して配置されており、スリット板２２を介し、原稿給送部３による原稿の給送と同期して原稿を読み取って画像データを取得し、取得した画像データを画像形成部４に出力する。
【００１８】
画像形成部４は、例えば、感光体ドラムと、帯電部、露光部と、現像部と、転写部と、クリーニング部と、定着部とからなる画像形成部を備えている。画像形成部４は、原稿読取部２によって取得された画像データに基づく画像を形成し、形成した画像を記録紙に記録する。
【００１９】
操作部５は、画像形成装置１の設定や動作指示を行う各種操作キーやタッチパネル等で構成されている。
【００２０】
制御部６は、ＣＰＵ（Central Processing Unit）、ＲＯＭ（Read Only Memory）、ＲＡＭ（Random Access Memory）等を備えたマイクロコンピュータ等の演算処理回路である。ＲＯＭには画像形成装置１の動作制御を行うための制御プログラムが記憶されている。制御部６のＣＰＵは、ＲＯＭに記憶されている制御プログラムを読み出し、制御プログラムをＲＡＭに展開させることで、操作部５から入力された各種指示情報に応じて装置全体の制御を行う。
【００２１】
また、制御部６は、原稿読取制御部６１、読取可能枚数算出部６２、案内画面生成部６３として機能することで、原稿読取部２及び原稿給送部３と共に原稿読取装置を構成する。
【００２２】
さらに、制御部６のＲＯＭ（例えば、制御プログラム内）には、温度センサー２３によって検出される監視温度Ｔと比較する閾値として中断温度閾値Ｔ１と抑制温度閾値Ｔ２と再開温度閾値Ｔ３とが設定されている。中断温度閾値Ｔ１は、原稿読取動作を中断するか否かを判断するための閾値であり、消去温度よりも若干低い、消去温度未満の温度に設定されている。そして、抑制温度閾値Ｔ２は、監視温度Ｔの上昇を抑制する動作を開始するか否かを判断するための閾値であり、中断温度閾値Ｔ１よりも低い温度に設定されている。再開温度閾値Ｔ３は、中断させた原稿読取動作を再開させるか否かを判断するための閾値であり、中断温度閾値Ｔ１以下の温度に設定されている。
【００２３】
原稿読取制御部６１は、原稿を原稿給送部３によって給送し、原稿読取部２によって読み取る原稿読取動作を制御する。原稿読取制御部６１は、監視温度Ｔが抑制温度閾値Ｔ２未満の場合、予め設定された通常間隔で次の原稿読取動作を実行する。また、原稿読取制御部６１は、監視温度Ｔが抑制温度閾値Ｔ２以上中断温度閾値Ｔ１未満の場合、通常間隔よりも長い抑温間隔で次の原稿読取動作を実行する。さらに、監視温度Ｔが中断温度閾値Ｔ１以上の場合、次の原稿読取動作の実行を中断する。
【００２４】
読取可能枚数算出部６２は、監視温度Ｔが抑制温度閾値Ｔ２以上になると、通常間隔で原稿読取動作を実行しても、監視温度Ｔが中断温度閾値Ｔ１に到達することがない原稿の枚数を読取可能枚数として算出する。読取可能枚数の算出方法については、後述する。
【００２５】
案内画面生成部６３は、抑温間隔での原稿読取動作の実行や、原稿読取動作の実行の中断をユーザーに通知する案内画面を生成し、操作部５のタッチパネルに表示させる。
【００２６】
次に、原稿載置トレイ３１に載置された複数の原稿を連続して読み取る際の原稿読取動作について図４乃至図６を参照して詳細に説明する。
原稿載置トレイ３１に原稿が載置された状態で、操作部５等から原稿読取指示が入力されると（ステップＡ１）、原稿読取制御部６１は、温度センサー２３によって検出される監視温度Ｔが中断温度閾値Ｔ１未満であるか否かを判断する（ステップＡ２）。
【００２７】
ステップＡ２で監視温度Ｔが中断温度閾値Ｔ１未満である場合、原稿読取制御部６１は、原稿読取動作を実行する（ステップＡ３）。
【００２８】
次に、原稿読取制御部６１は、原稿検出センサーの出力によって次の原稿があるか否か、すなわち原稿載置トレイ３１に次の原稿が載置されているか否かを判断する（ステップＡ４）。ステップＡ４で次の原稿がない場合、原稿読取制御部６１は、原稿読取動作を終了する。
【００２９】
ステップＡ４で次の原稿がある場合、原稿読取制御部６１は、監視温度Ｔが抑制温度閾値Ｔ２以上であるか否かを判断する（ステップＡ５）。
【００３０】
ステップＡ５で監視温度Ｔが抑制温度閾値Ｔ２未満である場合、原稿読取制御部６１は、次の原稿に対する原稿読取動作を通常間隔で実行し（ステップＡ６）、ステップＡ４に戻って次の原稿があるか否かを判断する。
【００３１】
ステップＡ５で監視温度Ｔが抑制温度閾値Ｔ２以上である場合、原稿読取制御部６１は、監視温度Ｔが中断温度閾値Ｔ１以上であるか否かを判断する（ステップＡ７）。
【００３２】
ステップＡ７で監視温度Ｔが中断温度閾値Ｔ１未満である場合、読取可能枚数算出部６２は、読取可能枚数ｎを算出する（ステップＡ８）。
【００３３】
連続して原稿読取動作を実行すると、原稿給送部３での原稿搬送や、原稿読取部２での光の照射による熱が蓄積され、図４に示すように、読み取り枚数が増加するほど監視温度Ｔが上昇していく。そこで、読取可能枚数算出部６２は、中断温度閾値Ｔ１に到達するまでの監視温度Ｔに基づいて、近似曲線（図４に実線で示す例では線形近似曲線）を算出する。なお、この算出した近似曲線は、通常間隔で連続して原稿読取動作を実行した場合の温度上昇予想カーブとなる。そして、読取可能枚数算出部６２は、通常間隔で連続して原稿読取動作を実行し、算出した近似曲線で監視温度Ｔが上昇した場合に、監視温度Ｔが中断温度閾値Ｔに到達する枚数を読取可能枚数ｎとして算出する。
【００３４】
次に、案内画面生成部６３は、図５（ａ）に示すような、抑温間隔での原稿読取動作の実行と、ステップＡ８で算出された読取可能枚数ｎとをユーザーに通知する抑制案内画面７１を生成し（ステップＡ９）、操作部５のタッチパネルに表示させる。
【００３５】
また、ステップＡ８、Ａ９と並行して、原稿読取制御部６１は、抑温間隔で次の原稿読取動作を実行し（ステップＡ１０）、ステップＡ４に戻って次の原稿があるか否かを判断する。これにより、監視温度Ｔが抑制温度閾値Ｔ２以上中断温度閾値Ｔ１未満の場合、原稿読取動作が通常間隔よりも長い抑温間隔で実行されることになる。従って、通常間隔での原稿読取動作に比べて、（抑温間隔−通常間隔）の期間が自然冷却期間となり、監視温度Ｔの上昇が抑制される。
【００３６】
ステップＡ２とステップＡ７とで監視温度Ｔが中断温度閾値Ｔ１以上である場合、案内画面生成部６３は、図５（ｂ）に示すような、原稿読取動作の中断をユーザーに通知する中断案内画面７２を生成し（ステップＡ１１）、操作部５のタッチパネルに表示させる。
【００３７】
また、ステップＡ１１と並行して、原稿読取制御部６１は、監視温度Ｔが予め設定された再開温度閾値Ｔ３未満に下がるのを待ち（ステップＡ１２）、監視温度Ｔが再開温度閾値Ｔ３未満になると、ステップＡ３に戻って原稿読取動作を実行する。すなわち、原稿読取制御部６１は、監視温度Ｔが中断温度閾値Ｔ１未満になるまで、原稿読取動作を中断させる。これにより、監視温度Ｔが中断温度閾値Ｔ１を超えて上昇されることがなく、消去可能インクを使用して印刷された印刷情報の意図しない消去を防止することができる。
【００３８】
抑制案内画面７１及び中断案内画面７２には、図５（ａ）（ｂ）に示すように、原稿の残り枚数が読取可能枚数ｎ以下の場合や、原稿に消色インクが使用されていない場合に、操作を勧める実行キー７３が配置されている。実行キー７３は、監視温度Ｔを考慮することなく、通常間隔での連続した原稿読取動作の実行を指示する操作キーである。抑制案内画面７１において実行キー７３が操作されると、原稿読取制御部６１は、原稿載置トレイ３１に載置された原稿がなくなるまで、監視温度Ｔを考慮することなく、通常間隔で連続して原稿読取動作を実行する。従って、中断温度閾値Ｔ１に到達する前に原稿読取動作が終了すると予想される場合や、中断温度閾値Ｔ１に到達しても消去される印刷情報がない場合に、実行キー７３を操作することで、作業速度を低下させることなく原稿読取動作を続行することができる。
【００３９】
図６に示すように、原稿読取部２にスリット板２２を直接的もしくは間接的に冷却する冷却装置２６を設けるようにしても良い。冷却装置２６は、例えば、風をスリット板２２に吹き付けるファンやペルチェ素子で構成することができる。また、制御部６に、冷却温度閾値Ｔ４を予め設定しておき、原稿読取制御部６１は、監視温度Ｔが冷却温度閾値Ｔ４を超えると、冷却装置２６を動作させるように構成すると、冷却装置２６を効率的に動作させることができる。冷却温度閾値Ｔ４は、稿読取スリットガラス２２の温度上昇の度合いや冷却装置２６の冷却能力によって、中断温度閾値Ｔ１以下の温度に適宜設定すると良い。
【００４０】
なお、本実施の形態では、温度センサー２３及び冷却装置２６を原稿読取部２に設けるように構成したが、温度センサー２３と冷却装置２６とのいずれか一方もしくは両方を原稿給送部３に設けるようにしても良い。
【００４１】
また、本実施の形態では、原稿給送部３によって給送される原稿の原稿給送路に配置されたスリット板２２の温度を温度センサー２３によって直接的もしくは間接的に検出するように構成したが、スリット板２２以外の原稿給送路の温度を温度センサー２３によって直接的もしくは間接的に検出するようにしても良い。すなわち、光源２４としてＬＥＤ等の発熱量が小さいものを使用した場合には、スリット板２２よりも、スリット板２２以外の原稿給送路の温度が高温になることも想定される。例えば、原稿給送機構３３の動力源であるモーターが高温となり、モーター付近の原稿搬送路が高温になる場合もある。この場合には、モーター付近の原稿搬送路の温度を温度センサー２３によって直接的もしくは間接的に検出すると良い。
【００４２】
以上説明したように、本実施の形態によれば、原稿の印刷情報を読み取る原稿読取部２と、原稿載置トレイ３１に載置された原稿を原稿読取部２に向けて１枚ずつ給送する原稿給送部３とを備え、原稿載置トレイ３１に複数の原稿が載置された状態で原稿読取指示を受け付けると、原稿給送部３によって１枚の原稿を給送して原稿読取部２によって読み取る原稿読取動作を連続して実行する原稿読取装置であって、原稿給送部３によって給送される原稿の原稿給送路の温度を監視温度Ｔとして検出する温度センサー２３と、監視温度Ｔが消去可能インクの消色温度未満に設定された中断温度閾値Ｔ１以上になると、監視温度Ｔが中断温度閾値Ｔ１以下に設定された再開温度閾値Ｔ３未満になるまで原稿読取動作を中断させる原稿読取制御部６１とを備えている。
この構成により、中断温度閾値Ｔ１を消去可能インクの消色温度未満に設定することで、原稿給送路が消色温度を超えて上昇されることがなく、消去可能インクを使用して印刷された印刷情報の意図しない消去を防止することができる。
【００４３】
さらに、本実施の形態において、原稿読取部２は、スリット板２２を介して原稿の印刷情報を読み取り、温度センサー２３は、原稿給送路としてスリット板２２の温度を監視温度Ｔとして検出する。
この構成により、中断温度閾値Ｔ１を消去可能インクの消色温度未満に設定することで、スリット板２２が消色温度を超えて上昇されることがなく、消去可能インクを使用して印刷された印刷情報の意図しない消去を防止することができる。
【００４４】
さらに、本実施の形態において、監視温度Ｔが中断温度閾値Ｔ１以上になると、原稿読取動作の中断を通知すると共に、通常間隔での連続した原稿読取動作の実行を指示する実行キー７３が配置された中断案内画面７２を生成する案内画面生成部６３と、中断案内画面７２が表示される表示部を有する操作部５とを具備し、実行キー７３の操作を受け付けると、原稿読取制御部６１は、原稿載置トレイ３１に載置された原稿がなくなるまで、監視温度Ｔを考慮することなく、通常間隔で連続して原稿読取動作を実行する。
この構成により、中断温度閾値Ｔ１に到達しても消去される印刷情報がない場合、すなわち原稿に消色インクを使用したものがない場合に、実行キー７３を操作することで、中断によって作業速度を低下させることなく原稿読取動作を続行することができる。
【００４５】
さらに、本実施の形態において、原稿読取制御部６１は、監視温度Ｔが中断温度閾値Ｔ１よりも低い抑制温度閾値Ｔ２未満の場合、予め設定された通常間隔で原稿読取動作を連続して実行し、監視温度Ｔが抑制温度閾値Ｔ２以上で中断温度閾値Ｔ１未満の場合、通常間隔よりも長い抑温間隔で原稿読取動作を連続して実行する。
この構成により、原稿読取動作の間隔を長くすることで、スリット板２２が自然冷却され、スリット板２２の温度上昇を抑制することができる。
【００４６】
さらに、本実施の形態において、抑制温度閾値Ｔ２以上で中断温度閾値Ｔ１未満の場合、抑温間隔での原稿読取動作の実行を通知すると共に、通常間隔での連続した原稿読取動作の実行を指示する実行キー７３が配置された抑制案内画面７２を生成する案内画面生成部６３と、抑制案内画面７１が表示される表示部を有する操作部５とを具備し、実行キー７３の操作を受け付けると、原稿読取制御部６１は、原稿載置トレイ３１に載置された原稿がなくなるまで、監視温度Ｔを考慮することなく、通常間隔で連続して原稿読取動作を実行する。
この構成により、中断温度閾値Ｔ１に到達しても消去される印刷情報がない場合に、実行キー７３を操作することで、抑温間隔での原稿読取動作によって作業速度を低下させることなく通常間隔での原稿読取動作を続行することができる。
【００４７】
さらに、本実施の形態において、中断温度閾値Ｔ１に到達するまでの監視温度Ｔに基づいて、通常間隔で連続して原稿読取動作を実行して監視温度Ｔが上昇した場合に、監視温度Ｔが中断温度閾値Ｔ１に到達する枚数を読取可能枚数ｎとして算出する読取可能枚数算出部６２を具備し、案内画面生成部は、読取可能枚数ｎを通知する抑制案内画面７１を生成する。
この構成により、中断温度閾値Ｔ１に到達する前に原稿読取動作が終了すると予想される場合に、抑温間隔での原稿読取動作によって作業速度を低下させることなく通常間隔での原稿読取動作を続行することができる。
【００４８】
さらに、本実施の形態において、原稿給送路を冷却する冷却装置２６を備えている。
この構成により、冷却装置２６によって冷却することで原稿給送路の温度上昇を効果的に抑制することができる。
【００４９】
さらに、本実施の形態において、冷却装置２６は、監視温度Ｔが中断温度閾値Ｔ１以下に設定された冷却温度閾値Ｔ４に達すると、動作を開始して原稿給送路を冷却する。
この構成により、冷却装置２６を効率的に動作させることができる。
【００５０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５１】
１  画像形成装置
２  原稿読取部
３  原稿給送部
４  画像形成部
５  操作部
６  制御部
２１  スキャナー
２２  スリット板
２３  温度センサー
２４  光源
２５  ラインセンサー
２６  冷却装置
３１  原稿載置トレイ
３２  原稿排出トレイ
３３  原稿給送機構
３４  原稿押圧部
６１  原稿読取制御部
６２  読取可能枚数算出部
６３  案内画面生成部
７１  抑制案内画面
７２  中断案内画面
７３  実行キー
【図１】
2018125657.tif 000003
【図２】
2018125657.tif 000004
【図３】
2018125657.tif 000005
【図４】
2018125657.tif 000006
【図５】
2018125657.tif 000007
【図６】
2018125657.tif 000008